(57)【特許請求の範囲】
【請求項１】
使用波長の異なる光記録媒体に共通に用いられる光ピックアップであって、
発光波長が異なり、上記光記録媒体の使用波長に応じて選択的に用いられる複数の光源と、
上記複数の光源からの光束を対応する光記録媒体の記録面上に光スポットとして集光させる１以上の対物レンズと、
各光記録媒体からの戻り光束を共通に入射され、各戻り光束に所定のホログラム作用を作用させる単一のホログラム素子と、
該ホログラム素子により回折された回折光束を受光して、所定の信号を発生させる単一の光検出器とを有し、
上記ホログラム素子は、上記複数の光源の発する各光束の波長に対応して、ホログラム作用を最適化された複数のホログラムを同一面内において組み合せたものであることを特徴とする光ピックアップ。
【請求項２】
請求項１記載の光ピックアップにおいて、
光検出器は、各波長の戻り光束に対応した複数の受光部領域を独立に有する平面状検出器であり、
ホログラム素子は、各戻り光束を、その波長に応じ、対応する受光部領域に向けて回折させるように構成されていることを特徴とする光ピックアップ。
【請求項３】
請求項１記載の光ピックアップにおいて、
光検出器は、各波長の戻り光束に共通した１組の受光部領域を有するものであり、
ホログラム素子は、各戻り光束を、上記受光部領域に向けて回折させるように構成されていることを特徴とする光ピックアップ。
【請求項４】
請求項１または２または３記載の光ピックアップにおいて、
発光波長が互いに異なる複数の光源の数が２であることを特徴とする光ピックアップ。
【請求項５】
請求項４記載の光ピックアップにおいて、
光源の発光波長がλ1，λ2であり、
光検出器は、２波長の各戻り光束に共通した１組の受光部領域を有するものであり、ホログラム素子は、波長：λ1の戻り光束を上記受光部領域に向けて回折させるように構成されたホログラム：Ｈ1と、波長：λ2の戻り光束を上記受光部領域に向けて回折させるように構成されたホログラム：Ｈ2とから構成され、
上記ホログラム素子と検出器の受光部領域が、距離：Ｌを隔てて配備され、ホログラム：Ｈ1において回折主光線を生じさせる格子ピッチをｄ1、ホログラム：Ｈ2において回折主光線を生じさせる格子ピッチをｄ2、各ホログラムによる回折方向における上記受光部領域幅をＷとするとき、
上記λ1，λ2，ｄ1，ｄ2，Ｗ，Ｌが関係：
Ｗ≦２Ｌ［tan{sin-1(λ1/ｄ2)}-tan{sin-1(λ1/ｄ1)}］        (1)
Ｗ≦２Ｌ［tan{sin-1(λ2/ｄ2)}-tan{sin-1(λ2/ｄ1)}］        (2)
を満足することを特徴とする光ピックアップ。
【請求項６】
請求項１〜５の任意の１に記載の光ピックアップにおいて、
各光源から光スポット集光部に至る光路の一部が共通化されたことを特徴とする光ピックアップ。
【請求項７】
請求項６記載の光ピックアップにおいて、
各光源からの光束を光記録媒体の記録面上に光スポットとして集光させる対物レンズが、２以上の光源に対して共通化されていることを特徴とする光ピックアップ。
【請求項８】
請求項６または７記載の光ピックアップにおいて、
ホログラム素子が、共通化された光路上に配備されていることを特徴とする光ピックアップ。
【請求項９】
請求項８記載の光ピックアップにおいて、
ホログラム素子として、偏光方向により回折効率の異なる偏光性ホログラムを用い、各光源に対して共通化された光路部分の、上記偏光性ホログラムよりも光記録媒体側に１／４波長板を配備したことを特徴とする光ピックアップ。
【請求項１０】
請求項６〜９の任意の１に記載の光ピックアップにおいて、
複数の光源から光スポット集光面に至る光路の、各光源に対して共通化された光路部分に、各光源からの光束を光記録媒体側に配備される光学系にカップリングするためのカップリングレンズを有することを特徴とする光ピックアップ。
【請求項１１】
請求項６〜１０の任意の１に記載の光ピックアップにおいて、
ビームスプリッタによる光路合成手段により、各光源からの光束の主光線が互いに合致するようにして、光路の一部を共通化されたことを特徴とする光ピックアップ。
【請求項１２】
請求項６〜１０の任意の１に記載の光ピックアップにおいて、
各光源の発光部を光学的に近接させることにより、各光源からの光束に作用する光学素子を共通にすることにより、光路の一部を共通化したことを特徴とする光ピックアップ。
【請求項１３】
請求項１１記載の光ピックアップにおいて、
ホログラム素子が共通化された光路部分に配備され、
ビームスプリッタによる光路合成手段と、複数の光源と、上記ホログラム素子と、光検出器とが、共通の筐体に一体装荷されたことを特徴とする光ピックアップ。
【請求項１４】
請求項１２記載の光ピックアップにおいて、
ホログラム素子が共通化された光路部分に配備され、
少なくとも、複数の光源と、ホログラム素子と、光検出器とが、共通のパッケージに一体集積化されたことを特徴とする光ピックアップ。
【発明の詳細な説明】
【０００１】
【発明の属する技術分野】
この発明は光ピックアップに関する。
【０００２】
【従来の技術】
光ディスク等の光記録媒体に対し、波長の異なる複数光束を用いて、情報の記録・再生を行う「光ピックアップ」として、波長の異なる複数光束を各々ビームスプリッタを介して同時に光記録媒体の記録面に集光照射し、反射された各戻り光束を各ビームスプリッタにより同一光路として光源側からの光路と分離し、分離された各戻り光束をプリズムによる光偏向手段で波長ごとに分離して、各波長の戻り光束を別個の光検出器で検出するものが提案されている（実公平７−３４６１号公報）。このようにすると、波長の異なる複数光束で、情報の並列的な記録・再生が可能であり、データ転送速度を向上させることができる。
上記光ピックアップはまた、ＣＤ（コンパクトディスク）とＤＶＤ（デジタルビデオディスク）のように、使用波長の異なる複数の光記録媒体に対して別個に記録・再生を行う場合にも利用できる。しかし、この場合、光検出器が光束ごとに必要であるために、光ピックアップ光学系が複雑になったり、各光検出器を個別に配置調整する必要があり、光ピックアップの組付け性が悪く、別個の光検出器を用いるのでコストが高い等の問題が生じる。
【０００３】
【発明が解決しようとする課題】
この発明は、使用波長の異なる複数の光記録媒体に対し、別個に記録再生を行う光ピックアップにおいて、信号検出系を簡単化し、光ピックアップ全体の簡略化・小型化、低コスト化を図ることを課題とする。
【０００４】
【課題を解決するための手段】
この発明の光ピックアップは「使用波長の異なる光記録媒体に共通に用いられる光ピックアップ」であって、複数の光源と、１以上の対物レンズと、ホログラム素子と、光検出器とを有する（請求項１）。
「複数の光源」は、互いに発光波長が異なり、光記録媒体の使用波長に応じて選択的に用いられる。即ち、情報の記録再生が行われる光記録媒体の使用波長を発光波長とする光源が選択的に用いられる。この時他の光源は消灯されている。
【０００５】
光源としては半導体レーザが好適である。
「１以上の対物レンズ」は、各光源からの光束を対応する光記録媒体の記録面上に光スポットとして集光させる。
「ホログラム素子」は、各光記録媒体からの戻り光束、即ち、光記録媒体の記録面による反射光束を共通に入射され、各戻り光束に所定のホログラム作用を作用させる。このホログラム素子は、単一のホログラム素子である。
「光検出器」は、ホログラム素子により回折された回折光束を受光して、所定の信号（フォーカス誤差信号、トラック誤差信号、情報再生信号等）を発生させる。この光検出器は「単一の光検出器」である。
上記ホログラム素子は「複数の光源の発する各光束の波長に対応して、ホログラム作用を最適化された複数のホログラムを同一面内において組み合せたもの」である。
各ホログラムは、対応する波長の戻り光束に、有効にホログラム作用を作用させうる形態で互いに組み合せられる。例えば、各ホログラムを複数のピースに分割し、これらをモザイク状に組み合せ、戻り光束の入射領域に各ホログラムのピースが均等に分布するようにしても良いし、例えば、光源の数が３であるなら、戻り光束の入射領域を、光軸を中心として３等分し、それぞれの部分が異なるホログラムとなるようにしてもよい。
このように、この発明の光ピックアップの特徴の一端は、複数の戻り光束を検出する光検出器が「単一」である点に存する。
複数光束に対し光検出器が単一であるため、光ピックアップ光学系が複雑化せず、光ピックアップの組付け性が良く、低コストで実現できる。
【０００６】
上記単一の光検出器を「各波長の戻り光束に対応した、複数の受光部領域を独立に有する平面状検出器」とし、ホログラム素子を「各戻り光束を、その波長に応じ、対応する受光部領域に向けて回折させるように構成されたもの」とすることができる（請求項２）。
あるいはまた、単一の光検出器を「各波長の戻り光束に共通した、１組の受光部領域を有するもの」とし、ホログラム素子を「各戻り光束を、上記受光部領域に向けて回折させるように構成されたもの」にできる（請求項３）。
上記請求項１または２または３記載の光ピックアップにおいて、発光波長が互いに異なる複数の光源の数は、３以上とすることができるが、光源数を２とすることもできる（請求項４）。
請求項４記載の光ピックアップにおいては光源数が２であるが、この場合、２光源の発光波長をλ1，λ2とし、光検出器を「２波長の各戻り光束に共通した１組の受光部領域を有するもの」とし、ホログラム素子として、波長：λ1の戻り光束を、上記受光部領域に向けて回折させるように構成されたホログラム：Ｈ1と、波長：λ2の戻り光束を、受光部領域に向けて回折させるように構成されたホログラム：Ｈ2とから構成されるものを用いることができる。
この場合、ホログラム素子と検出器の受光部領域の配備間隔を：Ｌ、ホログラム：Ｈ1において回折主光線を生じさせる格子ピッチをｄ1 、ホログラム：2において回折主光線を生じさせる格子ピッチをｄ2、各ホログラムによる回折方向における上記受光部領域幅をＷとするとき、λ1，λ2，ｄ1，ｄ2，Ｗ，Ｌが、関係：
Ｗ≦２Ｌ［tan{sin-1(λ1/ｄ2)}-tan{sin-1(λ1/ｄ1)}］        (1)
Ｗ≦２Ｌ［tan{sin-1(λ2/ｄ2)}-tan{sin-1(λ2/ｄ1)}］        (2)
を満足する（請求項５）。
【０００７】
請求項１〜５の任意の１に記載の光ピックアップにおいて、各光源から光スポット集光部に至る光路は、前述の実公平７−３４６１号公報の第１図や第２図に描かれた例のように、互いに別光路とすることもできるが、上記「各光源から光スポット集光部に至る光路」の一部を共通化してもよい（請求項６）。このように、各光源から光スポット集光部に至る光路の一部を共通化する場合「各光源からの光束を光記録媒体の記録面上に光スポットとして集光させる対物レンズを、２以上の光源に対して共通化する」ことができる（請求項７）。
この場合、例えば、光源の数が２であれば、２つの光源からの光束の光路の一部が共通化されるので、この共通化された部分に、各光源からの光束に共通の対物レンズを配備することができる。
このように、対物レンズを複数光源に共通化する場合、各光源の発光波長が異なり、光記録媒体の側においても、使用波長により基板の厚さが異なったりするので、共通化された対物レンズは、光束の波長差や、基板厚の違いを考慮して設計する必要がある。勿論、このような設計は可能である。
対物レンズを複数光源に対して共通化せず、光源ごとに対物レンズを用意し、使用される光源に応じて、対物レンズを切り換えて用いるようにしてもよい。光源数が３以上である場合ならば、それらの内の一部について、対物レンズを共通化し、全体としては光源数よりも少ない対物レンズを用いるようにしてもよいし、全ての光源に付いて対物レンズを共通化するようにしてもよい。
【０００８】
上記請求項６または７記載の光ピックアップにおいては、ホログラム素子を、共通化された光路上に配備することができる（請求項８）。この場合、ホログラム素子として「偏光方向により回折効率の異なる偏光性ホログラム」を用い、各光源に対して共通化された光路部分の、偏光性ホログラムよりも光記録媒体側に「１／４波長板」を配備することができる（請求項９）。即ち、光源からの光束は、ホログラム作用を実質的に受けることなくホログラム素子を透過し、戻り光束（１／４波長板を往復透過することにより偏光面が当初と９０度旋回している）にはホログラム作用が有効に作用するようにするのである。このようにすることにより「光の利用効率を最大にする」ことができる。
請求項６〜９の任意の１に記載の光ピックアップは、複数の光源から光スポット集光面に至る光路の、各光源に対して共通化された光路部分に「各光源からの光束を光記録媒体側に配備される光学系にカップリングするためのカップリングレンズ」を有することができる（請求項１０）。
また、請求項６〜１０の任意の１に記載の光ピックアップは「ビームスプリッタによる光路合成手段により、各光源からの光束の主光線が互いに合致するようにして光路の一部を共通化する」ことができる（請求項１１）。さらに、請求項６〜１０の任意の１に記載の光ピックアップはまた「各光源の発光部を光学的に近接させることにより、各光源からの光束に作用する光学素子を共通にすることにより、光路の一部を共通化する」ことができる（請求項１２）。「各光源の発光部を光学的に近接させる」とは、上記発光部同志を互いに物理的に近接させる場合のほか、例えば屋根型の反射部材等を用い、この反射部材による各発光部の虚像位置が互いに近接するようにする場合を含む。
【０００９】
上記請求項１１記載の光ピックアップにおいては、ホログラム素子を共通化された光路部分に配備し、ビームスプリッタによる光路合成手段と、複数の光源と、上記ホログラム素子と、光検出器とを「共通の筐体に一体装荷」することができる（請求項１３）。上記請求項１２記載の光ピックアップにおいては、ホログラム素子を共通化された光路部分に配備し、少なくとも、複数の光源と、ホログラム素子と、光検出器とを「共通のパッケージに一体集積化」することができる（請求項１４）。
【００１０】
【発明の実施の形態】
以下、発明の実施の形態を説明する。
図１（ａ）において、符号７は「光記録媒体」としてのＣＤを、符号８は同じくＤＶＤを示している。これら２種の光記録媒体に対する使用波長は、ＣＤ７に対するものが７８５ｎｍ(＝λ1)、ＤＶＤ８に対するものが６５０ｎｍ(＝λ2)である。「光源」としての半導体レーザ１は波長：λ1の発光波長を有し、同じく半導体レーザ２は波長：λ2の発光波長を有する。
ＣＤ７に対して情報の記録・再生を行うときには、半導体レーザ１を発光させる。半導体レーザ１から放射された波長：λ1の光束は、「波長：λ1の光を反射し、波長：λ2の光を透過させるダイクロイックミラー膜」を装荷したビームスプリッタ３により反射され、カップリングレンズ４に入射し、以後の光学系にカップリングされる。カップリングレンズ４のカップリング作用は、この形態においてはコリメート作用であり、カップリングされた光束は平行光束となる。勿論、カップリングレンズ４の作用は必ずしもコリメート作用である必要はない。
カップリングされた光束はビームスプリッタ５を透過し、対物レンズ６の作用により集光光束となり、ＣＤ７の透明基板を透過して、記録面上に光スポットとして集光する。記録面による反射光束は「戻り光束」となって、対物レンズ６を透過し、ビームスプリッタ５により反射され、ホログラム素子９によるホログラム作用を受け、光検出器１０に入射する。
【００１１】
ＤＶＤ８に対して情報の記録・再生を行うときには、半導体レーザ２を発光させる。半導体レーザ２から放射された波長：λ2の光束は、ビームスプリッタ３を透過し、カップリングレンズ４に入射し、そのコリメート作用により平行光束となる。この平行光束はビームスプリッタ５を透過し、対物レンズ６の作用により集光光束となり、ＤＶＤ８の透明基板を透過して記録面上に光スポットとして集光する。記録面による反射光束は戻り光束となって対物レンズ６を透過し、ビームスプリッタ５により反射され、ホログラム素子９によるホログラム作用を受け、光検出器１０に入射する。
カップリングレンズ４と対物レンズ６とは、各光束に対する結像光学系となるが、この結像光学系は、各光束の発光波長：λ1，λ2の違いや、光記録媒体における透明基板の光学的な厚さを考慮して、各光束が対応する光記録媒体の記録面上に光スポットとして適正に集光するように設計されている。
また、ビームスプリッタ３は「光路合成手段」であり、各光源１，２からの光束の主光線が互いに合致するようにして「光路の一部を共通化」する。このようにして、ビームスプリッタ３以後、対物レンズ６に至る光路が、光源１，２に対して共通化され、上記主光線は、カップリングレンズ４の光軸と合致され、対物レンズ６の光軸は基準状態（トラック誤差が０のとき）でカップリングレンズ４の光軸と合致する。
【００１２】
光検出器１０は、図１（ｂ）に示すように、単一のものであって、同一ウエハ上に、２つの受光部領域（Ａ，Ｂ，Ｃ，Ｄ）と（Ｅ，Ｆ，Ｇ，Ｈ）とが別個に形成されている。これら受光部領域の個々の領域の受光情報は、対応するピンから出力される。各出力信号をそれぞれＳＡ〜ＳＨとする。図１（ｂ）に示す光検出器１０は、受光部領域の領域数：８に対応した８ピンと、接地用の１ピンと、予備の１ピンとで１０ピンを有する構成となっている。
ホログラム素子９は、図１（ｃ）に説明図的に示すように、２種のホログラムＨ1，Ｈ2で構成されている。ホログラムＨ1は、波長：λ1の戻り光束に対して、所望のホログラム作用を及ぼし、ホログラムＨ2は、波長：λ2の戻り光束に対して、所望のホログラム作用を及ぼす。「所望のホログラム作用」は、回折による「偏向作用」と、偏向光束を非点光束（非点収差を与えられた集束光束）にする「非点光束化作用」である。ホログラムＨ1，Ｈ2は、それぞれ、波長：λ1，λ2に対応して上記ホログラム作用を最適化されると共に複数のピースに分割され、各々分割された複数のホログラムピース群が、互いにモザイク状に組み合せられた形態となっている。この例においては、ホログラムＨ1，Ｈ2の分割された各ピースは交互に配列されているが、このような配列に限らず、波長：λ1，λ2に応じてホログラム作用を最適化された２つのホログラム領域として、分割構成されればよい。
【００１３】
波長：λ1の戻り光束は、ホログラムＨ1のホログラム作用により、図１（ａ）に実線で示す如く回折され、非点光束化されて受光部領域（Ａ，Ｂ，Ｃ，Ｄ）に入射する。この受光部領域からは、出力信号：ＳＡ，ＳＢ，ＳＣ，ＳＤが出力する。フォーカス誤差信号は、非点収差法により「(ＳＡ＋ＳＣ)−(ＳＢ＋ＳＤ)」で与えられ、トラック誤差信号は、プッシュプル法により「(ＳＡ＋ＳＢ)−(ＳＣ＋ＳＤ)」で与えられ、情報信号は「(ＳＡ＋ＳＢ＋ＳＣ＋ＳＤ)」で与えられる。
同様に、波長：λ2の戻り光束は、ホログラムＨ2のホログラム作用により図１（ａ）に破線で示す如く回折され、非点光束化されて、受光部領域（Ｅ，Ｆ，Ｇ，Ｈ）に入射する。この受光部領域からは、出力信号：ＳＥ，ＳＦ，ＳＧ，ＳＦが出力する。フォーカス誤差信号は、非点収差法により「(ＳＥ＋ＳＧ)−(ＳＦ＋ＳＨ)」で与えられ、トラック誤差信号は、プッシュプル法により「(ＳＥ＋ＳＦ)−(ＳＧ＋ＳＨ)」で与えられ、情報信号は「(ＳＥ＋ＳＦ＋ＳＧ＋ＳＨ)」で与えられる。
この実施の形態とは異なり、ホログラム素子を、各波長に対してホログラム作用を最適化したホログラムＨ1，Ｈ2で構成せず、１領域のホログラムで構成すると、各波長：λ1，λ2の戻り光束の双方に対して「所望の非点光束化」を行うことができず、非点収差以外に余分な収差が発生したり、波長により非点光束の集光位置が異なったりし、単一の光検出器の利用は極めて困難となる。
【００１４】
即ち、図１に即して上に実施の形態を説明した光ピックアップは、使用波長の異なる光記録媒体７，８に共通に用いられる光ピックアップであって、互いに発光波長：λ1，λ2が異なり、光記録媒体７，８の使用波長に応じて選択的に用いられる複数の光源１，２と、各光源からの光束を対応する光記録媒体の記録面上に光スポットとして集光させる対物レンズ６と、各光記録媒体７，８からの戻り光束を共通に入射され、各戻り光束に所定のホログラム作用を作用させるホログラム素子９と、該ホログラム素子により回折された回折光束を受光して、所定の信号を発生させる単一の光検出器１０とを有し、ホログラム素子９は、複数の光源１，２の発する各光束の波長：λ1，λ2に対応して、ホログラム作用を最適化された複数のホログラムＨ1，Ｈ2を、互いに組み合せたものである（請求項１）。また、光検出器１０は、各波長：λ1，λ2の戻り光束に対応した複数の受光部領域（Ａ，Ｂ，Ｃ，Ｄ）と（Ｅ，Ｆ，Ｇ，Ｈ）とを独立に有する平面状検出器であり、ホログラム素子９は、各戻り光束を、その波長に応じ、対応する受光部領域に向けて回折させるように構成されている（請求項２）。発光波長が互いに異なる複数の光源の数は２であり（請求項４）、各光源１，２から光スポット集光部に至る光路の一部が共通化され（請求項６）、各光源からの光束を光記録媒体の記録面上に光スポットとして集光させる対物レンズ６は、２つの光源１，２に対して共通化されている（請求項７）。
さらに、複数の光源１，２から光スポット集光面に至る光路の、各光源に対して共通化された光路部分に、光源１，２からの光束を光記録媒体側に配備される光学系にカップリングするためのカップリングレンズ４を有し（請求項１０）、ビームスプリッタ３による光路合成手段により、各光源１，２からの光束の主光線が互いに合致するようにして光路の一部が共通化されている（請求項１１）。
【００１５】
図２に即して、実施の別形態を説明する。なお、繁雑を避けるため、混同の虞れがないと思われるものに就いては、図２以下においても、図１におけると同一の符号を用いる。  図２（ａ）において、光記録媒体としてのＣＤ７、ＤＶＤ８、波長：７８５ｎｍ（＝λ1）の光束を放射する光源としての半導体レーザ１、波長：６５０ｎｍ（＝λ2）の光束を放射する光源としての半導体レーザ２、「波長：λ1の光を反射し、波長：λ2の光を透過させるダイクロイックミラー膜」を装荷したビームスプリッタ３、カップリングレンズ４、ビームスプリッタ５、対物レンズ６は、何れも図１（ａ）に即して説明したものと同様のものである。
光記録媒体７または８の記録面による反射光側は戻り光束となり、対物レンズ６を透過し、ビームスプリッタ５により反射され、ホログラム素子９’のホログラム作用を受け、光検出器１０’に入射する。
【００１６】
光検出器１０’は、図２（ｂ）に示すように、単一のものであって、ウエハ上に受光部領域（Ａ，Ｂ，Ｃ，Ｄ）が形成されている。受光部領域の個々の領域の受光情報は対応するピンから出力される。各出力信号をＳＡ〜ＳＤとする。図２（ｂ）に示す光検出器１０’は、受光部領域の領域数：４に対応した４ピンと、接地用の１ピンと、予備の１ピンとで６ピンを有する構成となっている。
ホログラム素子９’は、図２（ｃ）に説明図的に示すように、２種のホログラムＨ1’，Ｈ2’で構成されている。ホログラムＨ1’は、波長：λ1の戻り光束に対してホログラム作用を最適化されされ、ホログラムＨ2’は、波長：λ2の戻り光束に対してホログラム作用を最適化されている。各ホログラム作用は、回折による「偏向作用」と「非点光束化作用」である。ホログラムＨ1’，Ｈ2’は、複数ピースに分割され、複数のホログラムピース群が互いにモザイク状に組み合せられた形態となっている。ホログラムＨ1’，Ｈ2’のピースの配列は、図示の配列に限らず、各波長：λ1，λ2に応じてホログラム作用を最適化された２つのホログラム領域として分割構成されればよい。
【００１７】
波長：λ１の戻り光束は、ホログラムＨ1’のホログラム作用により図２（ａ）に実線で示した如くに回折され、非点光束化されて、受光部領域（Ａ，Ｂ，Ｃ，Ｄ）に入射し、出力信号：ＳＡ，ＳＢ，ＳＣ，ＳＤを発生させる。フォーカス誤差信号は、非点収差法により「(ＳＡ＋ＳＣ)−(ＳＢ＋ＳＤ)」で与えられ、トラック誤差信号は、プッシュプル法により「(ＳＡ＋ＳＢ)−(ＳＣ＋ＳＤ)」で与えられ、情報信号は「(ＳＡ＋ＳＢ＋ＳＣ＋ＳＤ)」で与えられる。
波長：λ２の戻り光束は、ホログラムＨ2’のホログラム作用により図２（ａ）に破線で示す如く回折され、非点光束化されて、受光部領域（Ａ，Ｂ，Ｃ，Ｄ）に入射する。図２（ａ）には、上記の如く、各戻り光束の回折方向を、破線と実線とで示し、区別のため、互いに若干ずらして描いてあるが、実際には、波長：λ1，λ2の各戻り光束は、ホログラム素子９’の作用により全く同様に回折され、非点光束化される。即ち、ホログラム素子９’において、ホログラムＨ1’が波長：λ1の戻り光束に対して作用するホログラム作用は、ホログラムＨ2’が波長：λ2の戻り光束に対して作用するホログラム作用と同様である。
従って、波長：λ2の戻り光束によっても、フォーカス誤差信号：(ＳＡ＋ＳＣ)−(ＳＢ＋ＳＤ)、トラック誤差信号：(ＳＡ＋ＳＢ)−(ＳＣ＋ＳＤ)、情報信号：(ＳＡ＋ＳＢ＋ＳＣ＋ＳＤ)が得られる。
図２の実施の形態が、請求項１記載の発明の実施の形態であることは、容易に理解されるであろう。また、発光波長が互いに異なる複数の光源の数が２であり（請求項４）、光源１，２から光スポット集光部に至る光路の一部が共通化され（請求項６）、各光源からの光束を光記録媒体の記録面上に光スポットとして集光させる対物レンズ６は光源１，２に対して共通化されている（請求項７）。
さらに、複数の光源１，２から光スポット集光面に至る光路の、各光源に対して共通化された光路部分に、光源１，２からの光束を光記録媒体側に配備される光学系にカップリングするためのカップリングレンズ４を有し（請求項１０）、ビームスプリッタ３による光路合成手段により、各光源１，２からの光束の主光線が互いに合致するようにして光路の一部が共通化されている（請求項１１）。
【００１８】
図２の実施の形態においては、光ピックアップは、光検出器１０’が、各波長：λ1，λ2の戻り光束に共通した１組の受光部領域（Ａ，Ｂ，Ｃ，Ｄ）を有するものであり、ホログラム素子９’は、各戻り光束を受光部領域（Ａ，Ｂ，Ｃ，Ｄ）に向けて回折させるように構成されている（請求項３）。
光検出器１０’は、波長：λ1，λ2の各戻り光束に共通した１組の受光部領域（Ａ，Ｂ，Ｃ，Ｄ）を有するものであるので、図１の実施の形態における光検出器１０に比して、小型かつ低コストに実現することができる。
上に説明した実施の２形態では、フォーカス誤差信号を非点収差法、トラック誤差信号をプッシュプル法で生成しているが、信号発生の方式はこれに限らず、公知の種々の方式を利用できる。１例として、フォーカス誤差信号をナイフエッジ法、トラック誤差信号をプッシュプル法で生成する場合の実施の形態を、図３に示す。
図３（ａ）は、ホログラム素子９''を示している。ホログラム素子９''は、図２（ａ）において、ホログラム９’に代えて用いられる。図２（ａ）の光検出器１０に代えて用いられる光検出器１０''は、単一の光検出器で、同一ウエハに図３（ｂ）に示す如き受光部領域（Ａ’，Ｂ’，Ｃ’，Ｄ’）を形成されている。
ホログラム素子９''は、２種のホログラム（それぞれ複数ピースに分割され、モザイク状に組み合せられている）Ｈ1''，Ｈ2''により構成されるが、領域Ｉ，ＩＩ，ＩＩＩに分かれている。
波長：λ1の戻り光束がホログラム素子９''に入射すると、ホログラムＨ1''により集束作用と回折作用を受ける。領域Ｉのホログラム作用を受けた戻り光束部分は、図３（ｂ）に示すように、受光部領域における受光領域Ａ’，Ｂ’の境界部にスポットとして集光する。また、領域ＩＩ，ＩＩＩの部分でホログラム作用を受けた戻り光束部分は、それぞれ受光領域Ｃ’，Ｄ’にスポット状に集光する。このとき、ホログラムＨ2''の、波長：λ1の戻り光束に対するホログラム作用は、図３（ｂ）に示すように、戻り光束を受光領域Ａ’，Ｂ’，Ｃ’，Ｄ’の右側方へ集光させるように作用する。ホログラムＨ2''は、波長：λ1に対しては最適化されていないので、スポット径は収差によりホログラムＨ1''に対するものよりも大きくなっている。この光束部分は受光部領域には入射しない。
波長：λ2の戻り光束がホログラム素子９''に入射すると、ホログラムＨ2''のホログラム作用により、集束作用と回折作用を受け、領域Ｉの作用を受けた戻り光束部分は図３（ｃ）に示すように、受光部領域における受光領域Ａ’，Ｂ’の境界部にスポットとして集光する。領域ＩＩ，ＩＩＩの部分でホログラム作用を受けた戻り光束部分は、それぞれ受光領域Ｃ’，Ｄ’にスポット状に集光する。
このとき、ホログラムＨ1'' のホログラム作用により、戻り光束の一部は、図３（ｃ）に示すように、受光領域Ａ’，Ｂ’，Ｃ’，Ｄ’の左側方へ集光するが、ホログラムＨ1''は、波長：λ2に対しては最適化されていないので、スポット径は収差によりホログラムＨ2'' に対するものよりも大きくなっている。
このようにして、図３の実施の形態の場合にも、単一の光検出器１０''により波長の異なる２種の戻り光束を個別的に良好に検出することができる。
受光部領域の各受光領域Ａ’，Ｂ’，Ｃ’，Ｄ’から得られる信号をＳＡ’，ＳＢ’，ＳＣ’，ＳＤ’とすると、フォーカス誤差信号は「(ＳＡ’−ＳＢ’)」、トラック誤差信号は「(ＳＣ’−ＳＤ’)」であり、情報信号は「(ＳＡ’＋ＳＢ’＋ＳＣ’＋ＳＤ’)」である。
【００１９】
図２に示した実施の形態を考えてみると、ホログラム素子９’は、２つのホログラムＨ1’，Ｈ2’により構成され、これらのホログラムＨ1’，Ｈ2’は、それぞれ波長：λ1，λ2に対して、ホログラム作用を最適化されている。
波長：λ1の戻り光束がホログラム素子９’に入射するとき、ホログラムＨ2’も戻り光束に対してホログラム作用を及ぼす。波長：λ１の戻り光束の、ホログラムＨ2’の作用を受けた成分は、本来の検出成分（ホログラムＨ1’によるホログラム作用を受けた成分）に対してはノイズ成分になるので、このようなノイズ成分は、光検出器に入射しないようにすることが好ましい。上記ノイズ成分の影響を有効に軽減できる条件が、請求項５における条件（１），（２）である。これら条件を図４を参照して説明する。
【００２０】
図４（ａ）は、ホログラム素子９’に、波長：λ1の戻り光束が入射した状態を示している。ホログラムＨ1’のホログラム作用を受けた成分（正規の検出成分）の回折主光線Ｌ１は、図のように回折角：θ1で回折し、ホログラム素子９’から距離：Ｌを隔した光検出器１０’の受光部領域の中央部へ入射する。波長：λ1の戻り光束のうち、ホログラムＨ2’の作用を受けた回折主光線Ｌ２は、図のように回折隔：θ2で回折する。図のように距離：ｙ1，ｙ2をとると、ｙ1＝Ｌ・tanθ1，ｙ2＝Ｌ・tanθ2である。ホログラム：Ｈ1’において回折主光線Ｌ１を生じさせる格子ピッチをｄ1、ホログラム：Ｈ2において回折主光線Ｌ２を生じさせる格子ピッチをｄ2、各ホログラムによる回折方向における受光部領域の幅を図の如くＷとすると、
sinθ1＝λ1／ｄ1、従って、θ1＝sin-1(λ1／ｄ1)であり、sinθ2＝λ1／ｄ2、従って、θ2＝sin-1(λ1／ｄ2)である。従って、
ｙ1＝Ｌ・tanθ1＝Ｌ・tan{sin-1(λ1/ｄ1)}
ｙ2＝Ｌ・tanθ2＝Ｌ・tan{sin-1(λ1/ｄ2)}
波長：λ1の戻り光束がホログラムＨ1’，Ｈ2’により回折されて、光検出器１０’の受光面上に形成するスポットの間隔をΔｙ＝ｙ2−ｙ1とすると、
Δｙ＝Ｌ［tan{sin-1(λ1/ｄ2)}-tan{sin-1(λ1/ｄ1)}]
となる。受光部領域幅：Ｗに対し「Ｗ／２」がΔｙよりも大きいと、光検出器１０’の受光部領域には、正規の検出成分とともに「ノイズ成分」も入射してしまうので、このようなノイズ成分を排除できる条件は、
Ｗ≦２Ｌ［tan{sin-1(λ1/ｄ2)}-tan{sin-1(λ1/ｄ1)}]        (1)
であることが分かる。
【００２１】
図４（ｂ）は、ホログラム素子９’に、波長：λ2の戻り光束が入射した状態を示している。ホログラムＨ2’ のホログラム作用を受けた成分（正規の検出成分）の回折主光線Ｌ２’は、図のように回折角：θ2’で回折し、光検出器１０’の受光部領域の中央部へ入射する。波長：λ2 の戻り光束のうちホログラムＨ1’の作用を受けた回折主光線Ｌ１’は、図のように回折角：θ1’で回折する。
図のように距離：ｙ1’，ｙ2’をとると、ｙ1’＝Ｌ・tanθ1’，ｙ2’＝Ｌ・tanθ2’である。ホログラム：Ｈ1’において回折主光線Ｌ１’を生じさせる格子ピッチをｄ1、ホログラム：Ｈ2’において回折主光線Ｌ２’を生じさせる格子ピッチをｄ2とすると、
sinθ1’＝λ2／ｄ1、従って、θ1'＝sin-1(λ2／ｄ1)であり、sinθ2’＝λ2／ｄ2、
従って、θ2’＝sin-1(λ2／ｄ2)である。従って、
ｙ1’＝Ｌ・tanθ1’＝Ｌ・tan{sin-1(λ2/ｄ1)}
ｙ2’＝Ｌ・tanθ2’＝Ｌ・tan{sin-1(λ2/ｄ2)}
波長：λ２の戻り光束がホログラムＨ1’，Ｈ2’により回折されて、光検出器１０’の受光面上に形成するスポットの間隔をΔｙ＝ｙ2’−ｙ1’とすると、
Δｙ＝Ｌ［tan{sin-1(λ2/ｄ2)}-tan{sin-1(λ2/ｄ1)}］
となる。受光部領域幅：Ｗに対し「Ｗ／２」がΔｙよりも大きいと、光検出器１０’の受光部領域には、正規の検出成分とともにノイズ成分も入射してしまうので、このようなノイズ成分を排除できる条件は、
Ｗ≦２Ｌ［tan{sin-1(λ2/ｄ2)}-tan{sin-1(λ2/ｄ1)}]        (2)
であることが分かる。
【００２２】
図１，図２に示した実施の形態においては、戻り光束をビームスプリッタ５により反射して、光源から光記録媒体へ向かう光路から分離させ、このように分離した戻り光束の光路上にホログラム素子を配備している。
図５には、ホログラム素子を「共通化された光路部分に配備する」ようにした実施の形態を示す。
図５（ａ）に示すように、光源１，２からの光束は、ビームスプリッタ３’による光路合成手段により、各光源１，２からの光束の主光線が互いに合致するようにして光路の一部を共通化され（請求項６，１１）、各光源１，２からの光束を光記録媒体７，８の記録面上に光スポットとして集光させる対物レンズ６が、光源１，２に対して共通化され（請求項７）、ホログラム素子９Ａが、共通化された光路上に配備されている（請求項８）。  光源１，２からの光束は、ホログラム素子９Ａを「回折されずに透過する０次光束成分」が光記録媒体７，８に照射される。戻り光束は、ホログラム素子９Ａのホログラム作用を受け、ビームスプリッタ３’の一部に形成された反射面３０により反射されて光検出器１０Ａに入射する。
光検出器１０Ａとしては、図１（ｂ）に示した光検出器１０を用いることもできるし（このときホログラム素子９Ａの、戻り光束に対するホログラム作用は、図１の実施の形態におけるホログラム素子９と同様にする）、図２（ｂ）に示した光検出器１０’を用いることもでき（この場合、ホログラム素子９Ａの、戻り光束に対するホログラム作用は、図２の実施の形態におけるホログラム素子９’と同様にする）、図３に示したホログラム素子９''と光検出器１０''とを用いることもできる。
図５の実施の形態では、ホログラム素子９Ａとして図２（ｃ）に示すホログラム素子９’と同様のものが用いられ、光検出器１０Ａとして図２（ｂ）に示す光検出器１０’と同様のものが用いられている。
この実施の形態においては、ホログラム素子９Ａとビームスプリッタ１０Ａ、光源１，２が、相互に近接した配置となるので、これらを、図５（ｂ）に示すように、同一の筐体１１に一体装荷することができる。
即ち、図５の実施の形態では、光ピックアップは、ホログラム素子９Ａが共通化された光路部分に配備され、ビームスプリッタ３’による光路合成手段と、複数の光源１，２と、ホログラム素子９Ａと、光検出器１０Ａとが共通の筐体１１に一体装荷されている（請求項１３）。
【００２３】
図６に実施の他の形態を示す。
この実施の形態においては、各光源の発光部１’，２’を光学的に近接させることにより、各光源からの光束に作用する光学素子を共通にして、光路の一部を共通化した（請求項１２）。即ち、光源となる発光部１’，２’は半導体レーザチップで、カップリングレンズ４の光軸に近接するように互いに近接させて配備されている。このように、発光部１’，２’からの光束の主光線が互いに近接するようにして、光路の一部（ホログラム素子９Ｂから対物レンズ６に至る光路部分）を共通化している。
また、ホログラム素子９Ｂは、図５の実施の形態におけるホログラム素子９Ａと同様に、共通化された光路上に配備されている（請求項８）。複数の光源１’，２’と、ホログラム素子９Ｂと、光検出器１０Ｂとは、共通のパッケージ１２に一体集積化されている（請求項１４）。このように、光源１’，２’、ホログラム素子９Ｂ、光検出器１０Ｂを共通のパッケージ１２に一体集積化することにより、光ピックアップのコンパクト化が可能になる。図６の実施の形態では、光検出器１０Ｂとして、図２（ｂ）に示した光検出器１０’と同様のものを用いている。勿論、図１（ｂ）の光検出器１０と同様のものを用いても良い。
【００２４】
図７には、光源１’，２’とホログラム素子９Ｂと光検出器１０Ｂとの、同一パッケージ１２への一体集積化の例を２例示す。
図７（ａ）において、半導体レーザチップ１’，２’は、ヒートシンク１３にボンディングされ、光検出器１０Ｂもヒートシンク１３上に装荷されている。これらはパッケージ１２内に実装される。そして、パッケージ１２には、ホログラム素子９Ｂが接着一体化される。
図７（ｂ）に示す実施の形態においては、光源（発光部）としての半導体レーザチップ１’，２’の位置を、光軸方向にΔＺだけずらした点が、図７（ｂ）の場合と異なっている。
図６にも示したように、光記録媒体７，８は、互いに透明基板の厚さが異なっている。このような場合に、光源１’，２’からの光束を、共通の光学系４，６により、透明基板を介して記録面上に良好なスポットに集光する場合、対物レンズ６の設計によっては、光源１’，２’を光軸方向にずらすことが有効であり、図７（ｂ）はこのような場合を想定したものである。
図８は、同一パッケージによる一体集積化の別の例を示している。
ヒートシンク１３上にＳｉ基板１０−１をボンディングし、この上に光源（発光部）としての半導体レーザチップ１’，２’を水平設置する。また、三角状の反射ミラー１４をＳｉ基板１０−１上に設置し、半導体レーザチップ１’，２’から射出する水平方向の光束を反射ミラー１４で反射する。光検出器１０ＢはＳｉ基板１０−１に形成する。これらはパッケージ１２内に実装される。ホログラム素子９Ｂはパッケージ１２に接着一体化される。
この場合、発光部としての半導体レーザチップ１’，２’は、反射ミラー１４による「これらの虚像」が互いに近接している。即ち、発光部同志は「光学的に近接」している。このようにすることによっても、光源１’，２’に対し、ホログラム素子９Ｂ以後の光学系を共通化できる。
なお、図７（ｂ）に示したように、光源１’，２’に光軸方向のずれ：ΔＺを与える必要がある場合には、反射ミラー１４と半導体レーザチップ１’，２’との位置関係を調整することにより容易且つ確実にΔＺを調整設定できる。
この形態では、光源１’，２’、反射ミラー１４、光検出器１０ＢがＳｉ基板１０−１上の「水平方向の部品配置」になるので位置精度を出しやすい。また、Ｓｉ基板１０−１は熱伝導性が良いので、半導体レーザチップ１’，２’の放熱媒体としても有効に機能する。なお、反射ミラー１４を装荷する代わりに、Ｓｉ基板１０−１に異方性エッチングを行い、Ｓｉ基板の一部として反射面を形成してもよい。
請求項８記載の発明は、前述の如く、ホログラム素子を「共通化された光路」上に配備されていることを特徴とする。図６〜図８に示した実施の形態では、ホログラム素子は何れも、カップリングレンズ４よりも光源側に配備されている。
ホログラム素子を「共通化された光路」上に配備する場合、配備位置は、上記位置に限らない。
図９は、ホログラム素子９Ｃをカップリングレンズ４よりも対物レンズ６側に配備した例を示している。この例では、光源１’，２’と、光検出器１０Ｃ（図１（ｂ）の光検出器１０と同様のものや、図２（ｂ）の光検出器１０’と同様のものを用いることができる）が同一パッケージ１２内に実装されている。
ホログラム素子９Ｃを構成するホログラムを、ホログラムＨ１，Ｈ２とする。
ホログラムＨ１，Ｈ２は、それぞれ波長：λ1，λ2の光に対してホログラム作用を最適化されている。この場合、光検出器１０Ｃとして、光検出器１０’と同様、２つの戻り光束に共通の受光部領域を有するものを用いるものとすると、各戻り光束を共通の受光部領域に向けて回折させる条件は以下の如く得られる。
即ち、ホログラムＨ１における回折主光線を与える格子ピッチをd1、回折角をθ1 とし、ホログラムＨ２における回折主光線を与える格子ピッチをd2、回折角をθ2 とすると「d1・sinθ1=λ1,d2・sinθ2=λ2」であり、各戻り光束を光検出器１０Ｃの受光部領域の同一位置に集光するには、各ホログラムＨ１，Ｈ２による各波長の戻り光束の回折角を等しくすればよく、従って、θ1＝θ2から、
λ1／ｄ1＝λ2／ｄ2
が成り立つように、ホログラムＨ１，Ｈ２を形成すれば良い。
【００２５】
図９の実施の形態を図８の形態と比較すると、容易に理解されるように、図８の実施の形態では、ホログラム素子９Ｂと光検出器１０Ｂとが光軸方向（図の上下方向）に近接しているため、ホログラム素子９Ｂを構成する各ホログラムに、大きな回折角が必要になる。これに対して図９の実施の形態では、ホログラム素子９Ｃの位置が、光検出器から離れているので、ホログラム素子９Ｃの各ホログラムに要求される回折角は小さくて良い。
【００２６】
図１０は、請求項９記載の光ピックアップの実施の１形態を示している。基本的構成は図６の実施の形態と同様であり、各光源１’，２’から光スポット集光部に至る光路の一部が共通化され（請求項６）、各光源からの光束を光記録媒体７，８の記録面上に光スポットとして集光させる対物レンズ６が、２つの光源１’，２’に対して共通化され（請求項７）、ホログラム素子９０が、共通化された光路上に配備されている（請求項８）。
そして、ホログラム素子９０は「偏光方向により回折効率の異なる偏光性ホログラム」であり、各光源に対して共通化された光路部分の、偏光性ホログラム９０よりも光記録媒体側に１／４波長板１５が配備される（請求項９）。
また、複数の光源１’，２’から光スポット集光面に至る光路の、各光源に対して共通化された光路部分に、各光源からの光束を光記録媒体側に配備される光学系にカップリングするためのカップリングレンズ４を有し（請求項１０）、各光源の発光部１’，２’を光学的に近接させることにより、各光源からの光束に作用する光学素子９０，４，６を共通にして、光路の一部を共通化している（請求項１２）。
さらに、複数の光源１’，２’と、ホログラム素子９０と、光検出器１０とは共通のパッケージ１２に一体集積化されている（請求項１４）。
先に説明した図５，図６の実施の形態においては、光源からの光束のうち「ホログラム素子に回折されずに透過する０次光成分」が光記録媒体に照射されるので、不可避的に、光源における発光光量の一部は、光記録媒体の照射に利用されないことになる。
図１０の実施の形態におけるホログラム素子９０は「偏光性ホログラム」であって、入射光束の偏光状態により回折効率が異なる。偏光性ホログラムでは、例えば、Ｓ偏光を殆ど回折させずに透過させ、Ｐ偏光の８０％以上を回折させるようにすることや、逆に、Ｐ偏光を殆ど回折させずに透過させ、Ｓ偏光の８０％以上を回折させるようにすることが可能である。
ホログラム素子９０として、例えば、Ｐ偏光を殆ど回折させずに透過させ、Ｓ偏光の８０％以上を回折させるものを用いる場合、光源１’，２’からの光束をホログラム素子９０に対してＰ偏光となるように発光部の向きを調整すれば、光源１’，２’からの光束の実質的に１００％を光記録媒体の記録面に照射することができる。ホログラム素子９０を透過した光束は、１／４波長板１５を透過することにより円偏光に変換される。戻り光束は、１／４波長板１５を透過することにより直線偏光状態に戻るが、偏光面は当初の方向から９０度旋回し、ホログラム素子９０に対してＳ偏光となる。このため、戻り光束はホログラム素子９０による回折作用により８０％以上が、±１次光として回折されることになる。従って、光検出器１０Ｂには、戻り光束の４０％以上を集光させることができる。従って、光の利用効率を有効に高めることができる。
図５に示す実施の形態においても、ホログラム素子９Ａを偏光性ホログラムとし、その対物レンズ側に１／４波長板を用いることにより、請求項９記載の発明を実施することができる。図９の実施の形態においても同様である。
偏光性ホログラムは周知の如く、LiNbO3等の複屈折性結晶をイオン交換処理したり、Ta2O5のような無機酸化物を斜方蒸着して複屈折膜とし、これをドライエッチングして矩形格子としたのち、等方性材料でその上を被覆して作製できる。
あるいはまた、複屈折性の有機膜（ポリイミド、ポリジアセチレン等）を用いて、上記と同様の方法（ドライエッチングにより矩形格子化して等方性材料により被覆する）でも作製できる。
【００２７】
また、１／４波長板は、異なる波長の光に対して、それぞれ１／４波長板として機能する必要があるが、このような１／４波長板は、複屈折物質の分散（波長による屈折率変化）を利用し、上記複屈折物質による薄膜として形成し、薄膜の厚さを調整することより容易に実現可能である。
【００２８】
上に説明した実施の各形態は「各光源からの光束を光記録媒体側に配備される光学系にカップリングするためのカップリングレンズ」を有するが、カップリングレンズは、この発明の光ピックアップに必須のものではない。上記実施の各形態においても、対物レンズの設計如何によっては、カップリングレンズ４を省略することが可能である。しかし、カップリングレンズを用いることにより、各光源からの光を有効に取り込むことができ、光の利用効率を高めることが可能になる。
【００２９】
【発明の効果】
以上に説明したように、この発明によれば新規な光ピックアップを実現できる。この発明の光ピックアップは、複数の波長の戻り光束を、単一の光検出器で受光するので、信号検出系を簡単化し、光ピックアップ全体の簡略化・小型化、低コスト化を図ることができる。
請求項３記載の発明では、単一の光検出器が、各波長の戻り光束に共通した１組の受光部領域を有するものであるので、光検出器自体が構造簡単で小型化でき、配線も容易であるから、光ピックアップの組付けが容易である。
請求項５記載の発明では、光源数が２で、光検出器が各戻り光束に共通した１組の受光部領域を有するものである場合に、戻り光束をノイズなしに受光することができ、ノイズの少ない信号を発生させることができ、光ピックアップの信頼性を高めることができる。  請求項６〜１２記載の発明では、各光源から光スポット集光部に至る光路の一部が共通化されるので、光学素子の共用により、光ピックアップを小型化・低コスト化することができる。
【００３０】
請求項９記載の発明では、ホログラム素子として偏光性ホログラムを用い、これに１／４波長板を組み合せることにより、光源からの光の利用効率を極めて有効に高めることができ、Ｓ／Ｎ比を向上させて光ピックアップの信頼性を高めることができる。
請求項１３，１４記載の発明では、光源やホログラム素子、光検出器を同一の筐体やパッケージに一体化して設けることにより、光ピックアップを有効にコンパクト化することが可能である。このようなコンパクト化によりノート型パソコンへの搭載が可能になる。
【図面の簡単な説明】
【図１】  この発明の実施の１形態を説明するための図である。
【図２】  この発明の実施の別形態を説明するための図である。
【図３】  ホログラム素子と光検出器との別例を説明するための図である。
【図４】  請求項５記載の発明における条件（１），（２）を説明するための図である。
【図５】  この発明の実施の他の形態を説明するための図である。
【図６】  請求項１４記載の発明の実施の１形態を説明するための図である。
【図７】  光源、ホログラム素子、光検出器の、同一パッケージへの装荷の２例を説明するための図である。
【図８】  光源、ホログラム素子、光検出器の、同一パッケージへの装荷の別例を説明するための図である。
【図９】  この発明の実施の他の形態を説明するための図である。
【図１０】  請求項９記載の発明の実施の１形態を説明するための図である。
【符号の説明】
１，２      光源としての半導体レーザ
３      ビームスプリッタ
４      カップリングレンズ
５      ビームスプリッタ
６      対物レンズ
７，８      光記録媒体
９      ホログラム素子
１０      光検出器
【図１】
0003833396.tif 000002
【図２】
0003833396.tif 000003
【図３】
0003833396.tif 000004
【図４】
0003833396.tif 000005
【図５】
0003833396.tif 000006
【図６】
0003833396.tif 000007
【図７】
0003833396.tif 000008
【図８】
0003833396.tif 000009
【図９】
0003833396.tif 000010
【図１０】
0003833396.tif 000011